(57)【特許請求の範囲】
【請求項１】
ツールバーメニューモードにおいて、第１画面上に特定の機能に係るＵＩ構成要素（ＵＩ ｅｌｅｍｅｎｔ）であるアイコンがドラッグされて位置し、前記アイコンに該当する機能が活性化され、主領域である第１領域と、携帯端末機に搭載されている機能のうち、ユーザが選択した機能に対応するアイコンを含むツールバーが表示され、前記第１領域の一側面に位置する第２領域と、前記アイコンの選択時に前記アイコンに対応する機能を表示する第３領域と、を表示し、一般メニューモードにおいて、第２画面上に前記少なくとも一つのＵＩ構成要素を格子状に表示するタッチスクリーンと、
前記ツールバーに登録可能な機能リストを検索して表示し、選択された機能に該当するアイコンと前記アイコンが活性化される機能とをマッチさせた設定情報ファイルを生成するツールバー管理部と、前記アイコンが前記第１領域にドラッグされると当該アイコンに対応する機能を活性化させるツールバー駆動部と、を備え、前記アイコンが第１領域にドラッグされると当該アイコンに対応する機能を活性化させ、前記設定情報ファイルを検索して当該機能を確認し、前記第３領域に確認された機能を表示する制御部と、
を含み、
前記ツールバーは、前記ユーザが選択した機能に対応するアイコンのうち、一方向で表示できる数のアイコンのみを表示し、
前記制御部は、ユーザ選択命令に応じて、前記タッチスクリーン上に前記ツールバーメニューモード又は一般メニューモードを切り替えて表示するように制御することを特徴とする携帯端末機のユーザインターフェース装置。
【請求項２】
前記第２領域は、
流動的な領域であるか、又は固定的な領域であることを特徴とする請求項１に記載の携帯端末機のユーザインターフェース装置。
【請求項３】
前記ツールバー駆動部は、
前記第１領域にドラッグされたアイコンを前記ツールバーから消去することを特徴とする請求項２に記載の携帯端末機のユーザインターフェース装置。
【請求項４】
前記ツールバー駆動部は、
前記第１領域にドラッグされたアイコンを前記ツールバーから消去する場合、前記ツールバーに表示されるアイコンが再配列され、前記ユーザが選択した機能に対応するアイコンのうち、先に前記ツールバーに表示されなかったアイコンを、前記ツールバーの空いた領域に表示することを特徴とする請求項３に記載の携帯端末機のユーザインターフェース装置。
【請求項５】
前記タッチスクリーンは、前記ツールバーを表示又は除去できる表示子を備え、
前記制御部は、前記表示子のタッチを感知した場合、前記ツールバーの未開示時には前記ツールバーを開示し、前記ツールバーの開示時には前記ツールバーを除去するように制御することを特徴とする請求項４に記載の携帯端末機のユーザインターフェース装置。
【請求項６】
前記制御部は、前記第１領域に複数の前記アイコンが活性化されて重なった場合、重なった領域を半透明に表示されるように制御することを特徴とする請求項５に記載の携帯端末機のユーザインターフェース装置。
【請求項７】
前記制御部は、前記重なった複数の活性化されたアイコン中、タッチが発生したアイコンを他の活性化されたアイコンの前面に移動させることを特徴とする請求項６に記載の携帯端末機のユーザインターフェース装置。
【請求項８】
前記制御部は、ズームアイコンのタッチ時、前記タッチスクリーンに表示される画面を設定された割合で拡大又は縮小して表示するように制御することを特徴とする請求項７に記載の携帯端末機のユーザインターフェース装置。
【請求項９】
前記ツールバーは、時計アイコンを含み、
前記制御部は、前記時計アイコンがドラッグされて前記第１領域に位置すると、現在時刻を確認して前記時計アイコンに表示することを特徴とする請求項８に記載の携帯端末機のユーザインターフェース装置。
【請求項１０】
前記時計アイコンは、アナログ時計又はデジタル時計のいずれかであることを特徴とする請求項９に記載の携帯端末機のユーザインターフェース装置。
【請求項１１】
前記ツールバーは、写真アルバムアイコンを含み、
前記制御部は、前記写真アルバムアイコンがドラッグされて前記第１領域に位置すると、格納されているイメージを表示する第１画面と、前記第１画面に表示されたイメージに係る機能を実行させることができる第２画面と第３画面とを含む写真アルバム機能画面を表示するように制御することを特徴とする請求項１０に記載の携帯端末機のユーザインターフェース装置。
【請求項１２】
前記制御部は、前記第２画面のタッチ時、前記イメージが格納されているフォルダを表示し、前記第３画面のタッチ時、前記第１画面に表示されたイメージを待ち受け画面に設定することを特徴とする請求項１１に記載の携帯端末機のユーザインターフェース装置。
【請求項１３】
前記ツールバーは、Ｔｏｐ−３アイコンを含み、
前記制御部は、前記Ｔｏｐ−３アイコンがドラッグされて前記第１領域に位置すると、
複数のイメージ領域を含むＴｏｐ−３機能画面を表示するように制御することを特徴とする請求項１２に記載の携帯端末機のユーザインターフェース装置。
【請求項１４】
前記複数のイメージ領域には、フォンブックで予め設定されていた相手のイメージが表示されることを特徴とする請求項１３に記載の携帯端末機のユーザインターフェース装置。
【請求項１５】
前記制御部は、前記複数のイメージ領域中、特定のイメージ領域のタッチ時、前記タッチされたイメージ領域を設定された割合で拡大して表示し、タッチが発生しなかったイメージ領域は、拡大されたイメージ領域の一側面に位置させて表示するように制御することを特徴とする請求項１４に記載の携帯端末機のユーザインターフェース装置。
【請求項１６】
前記拡大されたイメージ領域は、一側面に機能実行のためのサブメニューを備えることを特徴とする請求項１５に記載の携帯端末機のユーザインターフェース装置。
【請求項１７】
前記サブメニューは、発信、メール送信、画像通話であることを特徴とする請求項１６に記載の携帯端末機のユーザインターフェース装置。
【請求項１８】
ブルートゥース通信のためのブルートゥース部をさらに備え、
前記タッチスクリーンは、ユーザ携帯端末機アイコンを中心にブルートゥース通信が可能な検索された周辺装置アイコンを円形に配置して表示し、
前記制御部は、前記検索された周辺装置アイコン中のいずれかがドラッグされて前記ユーザ携帯端末機アイコンと重なると、ブルートゥース接続するように制御することを特徴とする請求項１７に記載の携帯端末機のユーザインターフェース装置。
【請求項１９】
ツールバーメニューモードに進入するステップと、
ツールバーメニューモード進入時、携帯端末機に搭載されている機能のうち、ユーザが選択した機能に対応するアイコンを含むツールバーを、主領域である第１領域に表示するステップと、
新規機能が前記ツールバーに登録されると、該当する特定のＵＩ構成要素であるアイコンと対応する機能とをマッチさせた設定情報ファイルを生成して格納するステップと、
前記第１領域に表示された表示子がタッチされると前記アイコンの中で、前記ツールバーに一方向で表示できる数のアイコンのみを表示する前記ツールバーを、前記第１領域の一側面に位置する第２領域に表示するステップと、
特定のアイコンが前記第２領域からドラッグされて前記第１領域に位置すると、前記設定情報ファイルを検索して当該機能を確認し、前記確認された機能を第３領域に表示するステップと、
前記確認された機能が活性化されるステップと、
一般メニューモード進入のためのユーザ選択命令の受信時、前記少なくとも一つのＵＩ構成要素を格子状に表示するステップと、
を含むことを特徴とする携帯端末機のユーザインターフェース方法。
【請求項２０】
前記第２領域は、
流動的な領域であるか、又は固定的な領域であることを特徴とする請求項１９に記載の携帯端末機のユーザインターフェース方法。
【請求項２１】
前記特定のアイコンが前記第２領域からドラッグされて前記第１領域に位置する場合、前記特定のアイコンを前記ツールバーから消去するステップをさらに含むことを特徴とする請求項２０に記載の携帯端末機のユーザインターフェース方法。
【請求項２２】
前記消去するステップは、
前記ツールバーに表示されるアイコンを再配列するステップと、
前記ユーザが選択した機能に対応するアイコンの中で、先に前記ツールバーに表示されなかったアイコンを、前記ツールバーの空いた領域に表示するステップとをさらに含むことを特徴とする請求項２１に記載の携帯端末機のユーザインターフェース方法。
【請求項２３】
前記第１領域に複数の前記アイコンが活性化されて重なると、重なった領域を半透明に表示するステップをさらに含むことを特徴とする請求項２２に記載の携帯端末機のユーザインターフェース方法。
【請求項２４】
前記重なった複数の活性化されたアイコン中、タッチが発生したアイコンを他の活性化アイコンの前面に移動させるステップをさらに含むことを特徴とする請求項２３に記載の携帯端末機のユーザインターフェース方法。
【請求項２５】
前記ツールバーは、時計アイコンを含み、
前記時計アイコンがドラッグされて前記第１領域に位置すると、現在時刻を確認して前記時計アイコンに表示するステップをさらに含むことを特徴とする請求項２４に記載の携帯端末機のユーザインターフェース方法。
【請求項２６】
前記ツールバーは、写真アルバムアイコンを含み、
前記写真アルバムアイコンがドラッグされて前記第１領域に位置すると格納されているイメージを第１画面に表示するステップと、
前記第１画面に表示されたイメージに係る機能を実行させるための第２画面及び第３画面を含む写真アルバム機能画面を表示するステップと、
をさらに含むことを特徴とする請求項２５に記載の携帯端末機のユーザインターフェース方法。
【請求項２７】
前記第２画面のタッチ時、前記イメージが格納されているフォルダを表示するステップをさらに含むことを特徴とする請求項２６に記載の携帯端末機のユーザインターフェース方法。
【請求項２８】
前記第３画面のタッチ時、前記第１画面に表示されたイメージを待ち受け画面に設定するステップをさらに含むことを特徴とする請求項２７に記載の携帯端末機のユーザインターフェース方法。
【請求項２９】
前記ツールバーは、Ｔｏｐ−３アイコンを含み、
前記Ｔｏｐ−３アイコンがドラッグされて前記第１領域に位置するステップと、
複数のイメージ領域を含むＴｏｐ−３機能画面を表示するステップと、
をさらに含むことを特徴とする請求項２８に記載の携帯端末機のユーザインターフェース方法。
【請求項３０】
前記複数のイメージ領域には、フォンブックで予め設定されていた相手のイメージが表示されることを特徴とする請求項２９に記載の携帯端末機のユーザインターフェース方法。
【請求項３１】
前記複数のイメージ領域中、特定のイメージ領域のタッチ時、前記タッチされたイメージ領域を設定された割合で拡大して表示するステップと、
タッチが発生しなかったイメージ領域は、前記拡大されたイメージ領域の一側面に位置させて表示するステップと、
をさらに含むことを特徴とする請求項３０に記載の携帯端末機のユーザインターフェース方法。
【請求項３２】
前記拡大されたイメージ領域は、一側面に機能実行のためのサブメニューを備えることを特徴とする請求項３１に記載の携帯端末機のユーザインターフェース方法。
【請求項３３】
前記サブメニューは、発信、メール送信、画像通話であることを特徴とする請求項３２に記載の携帯端末機のユーザインターフェース方法。
【請求項３４】
ユーザ携帯端末機アイコンを中心にブルートゥース通信が可能な検索された周辺装置に係るアイコンを円形に配置して表示するステップと、
前記検索された周辺装置アイコン中のいずれかがドラッグされて前記ユーザ携帯端末機アイコンと重なるステップと、
前記重なる時、携帯端末機と前記重なった周辺装置のアイコンに対応する周辺装置とをブルートゥース接続するステップと、
をさらに含むことを特徴とする請求項３３に記載の携帯端末機のユーザインターフェース方法。
【発明の詳細な説明】
【技術分野】
【０００１】
本発明は、タッチスクリーンを備える携帯端末機のユーザインターフェース装置及びその方法に関する。より詳細には、本発明の携帯端末機は、タッチスクリーンに表示される待ち受け画面の一側面に複数のアイコンが配列されたツールバー（ｔｏｏｌ-ｂａｒ）を提供し、前記アイコンがドラッグされて表示部の主画面に位置すると当該機能が活性されることを特徴とする。
【背景技術】
【０００２】
近年、携帯端末機は、電子手帳機能、ゲーム機能、スケジュール管理機能等の多様な付加サービスを提供できるようにするマルチメディア機器へと発展する傾向にある。上記のように、携帯端末機が多様な付加機能を提供するにつれて、多様な種類の付加機能をより便利に管理及び利用できるユーザインターフェースは必須になる。そのため、ユーザがより便利に付加機能を利用できるようにする様々な方法が提案されているが、特に、タッチスクリーンを用いた方法が注目されている。タッチスクリーンとは、ユーザが指やボールペンの形をしたタッチペンを用いてスクリーンを直接タッチすると、携帯端末機が接触のあった部分を認知し、命令が実行されたりカーソルの位置を移動するように設計されたディスプレイ装置をいう。前記タッチスクリーンが作動する原理は、スクリーンの表面に加えられる圧力に反応する感圧式、喪失された電荷を感知して接触がある部分を把握する静電式、及び赤外線が遮断されることを感知して接触位置を把握する赤外線式等様々である。
【０００３】
従って、多くの製造会社のタッチスクリーンに対する関心が高まっており、より便利なユーザインターフェースを提供するための研究も盛んに行なわれている。
【発明の概要】
【発明が解決しようとする課題】
【０００４】
本発明は、タッチスクリーンを備える携帯端末機において、上記のように、より便利なユーザインターフェースを提供し、ユーザの便利性を向上させるようにする。そのため、本発明の実施形態に係る携帯端末機は、タッチスクリーンを備え、タッチスクリーンの所定位置に存在するが、好ましくは、タッチスクリーンの一側面にアイコンが連続的に並べられたツールバー（ｔｏｏｌ-ｂａｒ）を提供することができる。ユーザは、前記ツールバーに含まれたアイコン中のいずれかを主画面にドラッグして位置させると当該アイコンに対応する機能が活性化される。
【課題を解決するための手段】
【０００５】
このような目的を達成するための本発明の携帯端末機のユーザインターフェース装置は、特定の機能に係るＵＩ構成要素（ＵＩｅｌｅｍｅｎｔ）であるアイコンがドラッグされて位置し、アイコンに該当する機能が活性化され、主領域である第１領域と、携帯端末機に搭載されている機能のうち、ユーザが選択した機能に対応するアイコンを含むツールバーが表示され、第１領域の一側面に位置する第２領域と、アイコンに対応する機能を表示する第３領域と、を備えるタッチスクリーン、及びツールバーに登録可能な機能リストを検索して表示し、選択された機能に該当するアイコンとアイコンが活性化される機能とをマッチさせた設定情報ファイルを生成するツールバー管理部と、アイコンが第１領域にドラッグされると当該アイコンに対応する機能を活性化させるツールバー駆動部と、を備え、アイコンが第１領域にドラッグされると当該アイコンに対応する機能を活性化させ、設定情報ファイルを検索して当該機能を確認し、第３領域に確認された機能を表示する制御部を含み、ツールバーは、ユーザが選択した機能に対応するアイコンのうち、一方向で表示できる数のアイコンのみを表示することを特徴とする。
【０００６】
また、上記のような目的を達成するための本発明の携帯端末機のユーザインターフェース方法は、ツールバーメニューモードに進入するステップ、ツールバーメニューモード進入時、携帯端末機に搭載されている機能のうち、ユーザが選択した機能に対応するアイコンを含むツールバーを、主領域である第１領域に表示するステップ、新規機能がツールバーに登録されると、該当する特定のＵＩ構成要素であるアイコンと対応する機能とをマッチさせた設定情報ファイルを生成して格納するステップ、第１領域に表示された表示子がタッチされると、アイコンの中で、ツールバーに一方向で表示できる数のアイコンのみを表示するツールバーを、第１領域の一側面に位置する第２領域に表示するステップ、特定のアイコンが前記第２領域からドラッグされて前記第１領域に位置すると、設定情報ファイルを検索して当該機能を確認し、確認された機能を第３領域に表示するステップ、確認された機能が活性化されるステップを含むことを特徴とする。この場合、特定機能に係るＵＩ構成要素はアイコンであってもよい。
【発明の効果】
【０００７】
本発明に係るツールバーメニューモードを備える携帯端末機を使用する場合、ユーザは、よく使用する機能をツールバーに表示されるように設定し、前記ツールバーに表示されたアイコン中の特定のアイコンをドラッグして主画面に位置させると当該機能をすぐに活性化させることができるという利点がある。
【０００８】
また、本発明に係るツールバーメニューモードのツールバーは、それ自体で待ち受け画面のデコレーション機能があり、ユーザはより多様にユーザインターフェースを活用することができる。
【図面の簡単な説明】
【０００９】
【図１ａ】本発明の実施形態に係る携帯端末機が、タッチスクリーンの一側面に携帯端末機の機能実行に係るツールバー（ｔｏｏｌ-ｂａｒ）を提供するツールバーメニューモードの例を示す図面。
【図１ｂ】図１ａに示すツールバーメニューモードにおいて、携帯端末機のタッチスクリーンに表示されるアイコン１１０、ツールバー１２０、表示子１５０、及びサブメニュー１６０ａ乃至１６０ｄが実際にタッチスクリーンに表示される実施形態を示す図面。
【図２ａ】本発明の他の実施形態に係る携帯端末機のタッチスクリーンの一般メニューモードの画面構成の例を示す図面。
【図２ｂ】図２ａに示す一般メニューモードにおいて、携帯端末機のタッチスクリーンに表示されるアイコン及びサブメニューが実際にタッチスクリーンに表示される実施形態を示す図面。
【図３】本発明の実施形態に係るツールバーメニューモードを備えた携帯端末機の内部構造図。
【図４】本発明の実施形態に係る携帯端末機制御部３７０に含まれたツールバー駆動部３７０ｂの詳細構造を示す構造図。
【図５】本発明の実施形態に係るツールバー１２０にユーザの設定によって特定のメニューを登録するための登録画面を示す図面。
【図６ａ】ツールバーメニューモードにおいて、表示子６１０、６２０を用いてツールバー１２０を表示又は除去する実施形態を示す図面。
【図６ｂ】ツールバーメニューモードにおいて、表示子６１０、６２０を用いてツールバー１２０を表示又は除去する実施形態を示す図面。
【図６ｃ】本発明の実施形態に係る携帯端末機が回転する場合、これに連動し、タッチスクリーンに表示されるツールバー又はツールバーに含まれたアイコンが同時に回転して表示される実施形態を示す図面。
【図６ｄ】本発明の実施形態に係る携帯端末機が回転する場合、これに連動し、タッチスクリーンに表示されるツールバー又はツールバーに含まれたアイコンが同時に回転して表示される実施形態を示す図面。
【図６ｅ】本発明の実施形態に係るツールバー１２０に含まれた特定のアイコンがドラッグされて前記ツールバー１２０から離脱した場合、前記ツールバー１２０に表示されるアイコンが再配列されて表示される実施形態を示す図面。
【図６ｆ】本発明の実施形態に係るツールバー１２０に含まれた特定のアイコンがドラッグされて前記ツールバー１２０から離脱した場合、前記ツールバー１２０に表示されるアイコンが再配列されて表示される実施形態を示す図面。
【図６ｇ】本発明の実施形態に係るツールバーメニューモードにおいて、第１領域で活性化された機能画面がドラッグされてツールバー１２０に挿入される場合、前記ツールバー１２０に表示されたアイコンが再配列されて表示される実施形態を示す図面。
【図６ｈ】本発明の実施形態に係るツールバーメニューモードにおいて、第１領域で活性化された機能画面がドラッグされてツールバー１２０に挿入される場合、前記ツールバー１２０に表示されたアイコンが再配列されて表示される実施形態を示す図面。
【図７】本発明の実施形態に係るツールバーメニューモードにおいて、ツールバー１２０がタッチスクリーン３６０に表示された場合、ツールバー１２０に含まれた特定のアイコン１１０にタッチが感知された場合、当該アイコンの機能を説明する実施形態を示す図面。
【図８ａ】本発明の実施形態に係るツールバーメニューモードにおいて、ツールバー１２０に含まれた複数のアイコン１１０が重なって第１領域１３０に位置し、複数の機能が活性化される場合、重なった機能画面が表示される実施形態を示す図面。
【図８ｂ】本発明の実施形態に係るツールバーメニューモードにおいて、ツールバー１２０に含まれた複数のアイコン１１０が重なって第１領域１３０に位置し、複数の機能が活性化される場合、重なった機能画面が表示される実施形態を示す図面。
【図９】本発明の実施形態に係るツールバーメニューモードにおいて、第１領域１３０に複数の機能画面が重なった場合、重なった機能画面中の特定の機能画面をタッチすると、前記タッチされたメニュー画面が最上段に表示される実施形態を示す図面。
【図１０ａ】本発明の実施形態に係るツールバーメニューモードにおいて、第１領域１３０に特定の機能が活性化された場合、第１領域１３０をズーム（ｚｏｏｍ）機能を用いて部分的に拡大する実施形態を示す図面。
【図１０ｂ】本発明の実施形態に係るツールバーメニューモードにおいて、第１領域１３０に特定の機能が活性化された場合、第１領域１３０をズーム（ｚｏｏｍ）機能を用いて部分的に拡大する実施形態を示す図面。
【図１０ｃ】本発明の実施形態に係るツールバーメニューモードにおいて、第１領域１３０に特定の機能が活性化された場合、第１領域１３０をズーム（ｚｏｏｍ）機能を用いて部分的に拡大する実施形態を示す図面。
【図１１】ツールバーメニューモードにおいて、表示されるツールバー１２０にユーザの設定によって新規機能を登録するステップを示すフローチャート。
【図１２】ツールバーメニューモードに進入し、ツールバー１２０がタッチスクリーンに表示され、ツールバーに含まれた特定のアイコンが第１領域に位置した場合、当該機能が実行されるステップを示すフローチャート。
【図１３ａ】ツールバーメニューモードにおいて、ツールバー１２０に含まれた時計アイコンを第１領域に位置させた場合、前記時計アイコンに対応する機能が活性化される実施形態を示す図面。
【図１３ｂ】ツールバーメニューモードにおいて、ツールバー１２０に含まれた時計アイコンを第１領域に位置させた場合、前記時計アイコンに対応する機能が活性化される実施形態を示す図面。
【図１４】図１３ａ及び図１３ｂのツールバーメニューモードにおいて、ツールバー１２０に含まれた時計アイコンを第１領域に位置させた場合、前記時計アイコンに対応する機能が実行されるステップを示すフローチャート。
【図１５ａ】ツールバーメニューモードにおいて、ツールバー１２０に含まれた写真アルバムアイコンを第１領域に位置させた場合、前記写真アルバムアイコンに対応する機能が活性化される実施形態を示す図面。
【図１５ｂ】ツールバーメニューモードにおいて、ツールバー１２０に含まれた写真アルバムアイコンを第１領域に位置させた場合、前記写真アルバムアイコンに対応する機能が活性化される実施形態を示す図面。
【図１５ｃ】ツールバーメニューモードにおいて、ツールバー１２０に含まれた写真アルバムアイコンを第１領域に位置させた場合、前記写真アルバムアイコンに対応する機能が活性化される実施形態を示す図面。
【図１６】図１５ａ乃至図１５ｃのツールバーメニューモードにおいて、ツールバー１２０に含まれた写真アルバムアイコンを第１領域に位置させた場合、前記写真アルバムアイコンに対応する機能が活性化されるステップを示すフローチャート。
【図１７ａ】ツールバーメニューモードにおいて、ツールバー１２０に含まれたＴｏｐ−３アイコン１７１０を第１領域に位置させた場合、前記Ｔｏｐ−３アイコンに対応する機能が実行される実施形態を示す図面。
【図１７ｂ】ツールバーメニューモードにおいて、ツールバー１２０に含まれたＴｏｐ−３アイコン１７１０を第１領域に位置させた場合、前記Ｔｏｐ−３アイコンに対応する機能が実行される実施形態を示す図面。
【図１７ｃ】ツールバーメニューモードにおいて、ツールバー１２０に含まれたＴｏｐ−３アイコン１７１０を第１領域に位置させた場合、前記Ｔｏｐ−３アイコンに対応する機能が実行される実施形態を示す図面。
【図１８】図１７ａ乃至図１７ｃのツールバーメニューモードにおいて、ツールバー１２０に含まれたＴｏｐ−３アイコンを第１領域に位置させた場合、前記Ｔｏｐ−３アイコンに対応する機能が活性化されるステップを示すフローチャート。
【図１９ａ】ツールバーメニューモードにおいて、ツールバー１２０に含まれたブルートゥースアイコンを第１領域に位置させた場合、前記ブルートゥースアイコンに対応する機能が活性化される実施形態を示す図面。
【図１９ｂ】ツールバーメニューモードにおいて、ツールバー１２０に含まれたブルートゥースアイコンを第１領域に位置させた場合、前記ブルートゥースアイコンに対応する機能が活性化される実施形態を示す図面。
【図１９ｃ】ツールバーメニューモードにおいて、ツールバー１２０に含まれたブルートゥースアイコンを第１領域に位置させた場合、前記ブルートゥースアイコンに対応する機能が活性化される実施形態を示す図面。
【図２０】ブルートゥースモードに進入した後、本発明の実施形態によって、ユーザ携帯端末機と選択された周辺装置とのブルートゥース通信が接続されるステップを示すフローチャート。
【発明を実施するための形態】
【００１０】
本発明の実施形態に係る携帯端末機は、移動通信端末機のみならず個人情報端末機（ＰｅｒｓｏｎａｌＤｉｇｉｔａｌＡｓｓｉｓｔａｎｔ；ＰＤＡ）、スマートフォン（Ｓｍａｒｔ Ｐｈｏｎｅ）、ＩＭＴ−２０００（ＩｎｔｅｒｎａｔｉｏｎａｌＭｏｂｉｌｅ 
Ｔｅｌｅｃｏｍｍｕｎｉｃａｔｉｏｎ ２０００）端末機、ＵＭＴＳ端末機等を含む。また、本発明の実施形態に係る携帯端末機は、表示部の一面にタッチスクリーンを備えることができ、さらに前記携帯端末機は、表示部全面にタッチスクリーンを備える、いわゆる全面タッチスクリーン（ｆｕｌｌ−ｔｏｕｃｈｓｃｒｅｅｎ）を備えることもできる。
【００１１】
以下、タッチ（ｔｏｕｃｈ）とは、携帯端末機のユーザがタッチスクリーン上に指又はタッチペン等の物体を接触する行為を意味する。また、「ドラッグ（ｄｒａｇ）」とは、携帯端末機のユーザがタッチスクリーン上にタッチ、すなわち、指又はタッチペン等の物体を接触した状態で指を特定方向に移動する行為を意味する。
【００１２】
また、本発明のツールバーメニューモードとは、タッチスクリーンの一側面にアイコンが連続的に並べられたツールバー（ｔｏｏｌ-ｂａｒ）を提供し、前記ツールバー（ｔｏｏｌ-ｂａｒ）に含まれたアイコン中のいずれかを主画面にドラッグして位置させると当該アイコンに対応する機能が活性化されるメニューモードをいう。
【００１３】
また、本発明のＴｏｐ−３アイコンは、フォンブックに格納された相手中、ユーザが設定した複数の相手に関する情報をタッチスクリーンに同時に表示し、その中からユーザによって選択された相手に直接発信、メール送信、又は画像通話を可能にする。
【００１４】
本発明の実施形態に係るツールバー（ｔｏｏｌ-ｂａｒ）は、特定の機能に係るＵＩ構成要素（ＵＩ ｅｌｅｍｅｎｔ）を一つ以上含むことができる。また、本発明の好ましい実施形態によると前記ＵＩ構成要素はアイコンであってもよい。
【００１５】
本発明の実施形態に係る活性化アイコンは、前記ツールバーに含まれた特定の機能に係るＵＩ構成要素(上記のように、アイコンであってもよい)中の一部がタッチスクリーンの
主画面に位置した場合、当該機能が活性化され、実行される機能を表示するアイコンである。
【００１６】
以下、本発明の属する技術分野において、通常の知識を有する者が本発明を容易に実施できるような本発明の好ましい実施形態を、添付の図面を参照しながら詳細に説明する。
【００１７】
図１ａは、本発明の実施形態に係る携帯端末機が、タッチスクリーンの一側面に携帯端末機の機能実行に係るツールバー（ｔｏｏｌ-ｂａｒ）を提供するツールバーメニューモードの例を示している。この場合、携帯端末機のタッチスクリーンは、特定の機能が表示できる複数のアイコン１１０、複数のアイコン１１０が並べられてユーザが携帯端末機に含まれた特定の機能を便利に利用できるようにするツールバー（ｔｏｏｌ-ｂａｒ）１２０、携帯端末機タッチスクリーンの主領域である第１領域１３０、ツールバー１２０が表示される第２領域１４０、ツールバー１２０を表示又は除去できる表示子１５０、及びユーザがよく使用する携帯端末機の機能をワンタッチで実行できるようにする複数のサブメニュー１６０ａ乃至１６０ｄを含むことができる。
【００１８】
アイコン１１０は、携帯端末機に含まれた特定の機能を絵又は記号で表示したものである。ユーザは、実行しようとする機能の種類をアイコン１１０によって確認することができる。
【００１９】
ツールバー（ｔｏｏｌ−ｂａｒ）１２０は、複数のアイコン１１０が並べられてユーザが携帯端末機の特定の機能を便利に使用できるようにするユーザインターフェースである。ツールバー１２０に含まれた複数のアイコン１１０は、水平又は垂直方向に並べられる。図１ａでは、アイコン１１０が垂直方向に並べられた実施形態を示している。
【００２０】
第１領域１３０は、携帯端末機のタッチスクリーンの主画面であり、ユーザが特定の機能の実行を指示したり又は実行結果を視覚的に確認することができる領域である。第１領域１３０は、ユーザ設定によって特定のイメージ又は特定の色を表示することができる。本発明の実施形態によると、ツールバー１２０に含まれた特定のアイコン１１０が第１領域１３０に位置すると、第１領域１３０に位置したアイコン１１０に対応する携帯端末機の特定の機能が活性化される。
【００２１】
第２領域１４０は、携帯端末機のタッチスクリーンの一側面に位置することができ、ツールバー１２０が位置する領域である。
【００２２】
表示子１５０は、本発明の実施形態に係るツールバー１２０を表示又は除去するのに使用され、表示又は除去に対応する方向性を有する。これに関する詳細な実施形態は図６で説明する。
【００２３】
サブメニュー１６０ａ乃至１６０ｂは、ユーザがよく使用する携帯端末機のメニューをワンタッチで実行できるようにする。本発明の実施形態では、直接発信できるダイヤル１６０ａ、携帯端末機に格納された電話番号が検索できる電話帳１６０ｂ、メッセージを送信したり又は受信したメッセージが確認できるメッセージ１６０ｃ、一般メニューモードに進入(後述する)できるメニュー１６０ｄに関するサブメニューを含むことができるが、
本発明の他の実施形態では、前記例に挙げたメニュー以外に他のメニューをユーザの設定によって追加又は削除することが可能である。
【００２４】
図１ｂは、図１ａに示したツールバーメニューモードにおいて、携帯端末機のタッチスクリーンに表示することができるアイコン１１０、ツールバー１２０、表示子１５０、サブメニュー１６０ａ乃至１６０ｄが実際にタッチスクリーンに表示される実施形態を示している。
【００２５】
図１ｂに示すように、第２領域１４０には、複数のアイコン１１０が垂直方向に並べられたツールバー１２０が位置することができる。ツールバー１２０に含まれた複数のアイコン１１０に該当する携帯端末機の機能は、図１ｂで確認できるように、曜日及び日付、Ｄ−ｄａｙ、写真アルバム、無線インターネットの接続、Ｔｏｐ−３機能(後述する)等が
含まれる。また、図１ｂによると、第１領域１３０には、現在時刻表示機能、地下鉄路線図表示機能が実行されていることが確認できる。
【００２６】
従って、ユーザは、ツールバー１２０に含まれた複数のアイコン１１０中の特定のアイコンをドラッグして第１領域１３０に位置させると、前記アイコンに対応する機能を活性化させることができ、より便利に携帯端末機の機能を活用することができる。
【００２７】
図２ａは、本発明の他の実施形態に係る携帯端末機のタッチスクリーンの一般メニューモードの画面構成の例を示している。この場合、前記携帯端末機のタッチスクリーンは、特定のメニューを表示できる複数のアイコン２１０乃至２６０、ユーザがよく使用する携帯端末機のメニューをワンタッチで実行できるようにする複数のサブメニュー２７０ａ乃至２７０ｄを含むことができる。
【００２８】
アイコン２１０乃至２６０は、本発明の好ましい実施形態によって、使用頻度の高い複数のメニューから構成され、よく使用するメニューを選択しやすくするユーザインターフェースを提供する。ユーザは、携帯端末機のタッチスクリーンに表示されるアイコンを追加又は削除することができる。図２ａに示された図を参照すると、本発明の一実施形態では、カメラ２１０、アルバム２２０、ゲーム２３０、テレビ視聴２４０、音楽聴取２５０、環境設定２６０等に係るアイコンが設定されたことが分かる。
【００２９】
サブメニュー２７０ａ乃至２７０ｂは、上記のように、ユーザがよく使用する携帯端末機のメニューをワンタッチで実行できるようにする。本発明の実施形態では、直接発信できるダイヤル２７０ａ、携帯端末機に格納された電話番号が検索できる電話帳２７０ｂ、メッセージを送信したり又は受信したメッセージが確認できるメッセージ２７０ｃ、ツールバーメニューモードに切り換えられるモード転換メニュー２７０ｄに関するサブメニューを含むことができるが、本発明の他の実施形態では、前記列に挙げたメニュー以外に他のメニューをユーザの設定によって追加又は削除することが可能である。
【００３０】
本発明の実施形態では、図２ａに示したサブメニュー中のモード転換メニュー２７０ｄがタッチされると、タッチスクリーンの主画面が一般メニューモードからツールバーメニューモードに切り換えられる。この時、前記一般メニューモード以前のツールバーメニューモードで活性化された機能が存在する場合、当該機能を新しく切り替えられたツールバーメニューモードで継続して活性化する。
【００３１】
図２ｂは、図２ａに示した一般メニューモードにおいて、携帯端末機のタッチスクリーンに表示されるアイコン、サブメニューが実際にタッチスクリーンに表示される実施形態を示している。
【００３２】
図２ｂに示した実施形態によると、携帯端末機タッチスクリーンの主画面は、無線インターネット、カメラ、アルバム、ゲーム、テレビ、音楽、メモ、anycall機能、スケジュール、アラーム及び時刻、辞書、環境設定に関するアイコンが、横３、縦４の形式で構成されている。しかし、発明の他の実施形態によると、前記タッチスクリーンの主画面に表示されるアイコンの種類及び数はユーザが任意に設定することができる。
【００３３】
図３は、本発明の実施形態に係るツールバーメニューモードを備える携帯端末機の内部構造図である。前記携帯端末機は、ＲＦ通信部３１０、ブルートゥース部３２０、オーディオ処理部３３０、センサー部３４０、格納部３５０、タッチスクリーン３６０、制御部３７０を含むことができ、制御部３７０は、ツールバー管理部３７０ａとツールバー駆動部３７０ｂとを含むことができる。
【００３４】
ＲＦ通信部３１０は、ＲＦ送受信機、デュープレクサー等を含み、ＲＦ送受信処理のような通常の移動通信端末としての機能を行う。
【００３５】
ブルートゥース部３２０は、ブルートゥース機能を有する他の機器とのブルートゥース通信を行い、ブルートゥース送信部とブルートゥース受信部とを含む。
【００３６】
オーディオ処理部３３０は、オーディオ信号を出力するマイク部及びスピーカーを含むことができる。
【００３７】
センサー部３４０は、携帯端末機の回転状態を感知するためのものであり、好ましくは地磁気センサーである。地磁気センサーとは、地球磁気の強度及び方向を測定して所定の値として出力する装置である。本発明の実施形態によると、携帯端末機の回転をセンサー部３４０が感知して出力すると、前記携帯端末機のタッチスクリーンに表示されたツールバー（ｔｏｏｌ-ｂａｒ）に含まれたアイコンは、前記携帯端末機の回転に連動し、回転して表示されるようになる。
【００３８】
格納部３５０は、本発明の実施形態に係る端末機の全般の動作に必要なプログラムやデータを格納することができる。
【００３９】
タッチスクリーン３６０は、表示部３６０ａ、及び表示部３６０ａに貼り付けられるタッチパネル又はタッチフィルム３６０ｂから構成される。なお、タッチスクリーン３６０には、上述の第1領域１３０および第２領域１２０と、後述する第３領域７１０とが含まれる。タッチスクリーン３６０は、端末機で生成する各種表示データ、動作状態、及びユーザが入力する文字を画面に表示することができる。また、タッチスクリーン３６０は、タッチスクリーン３６０に発生するタッチを感知し、タッチが発生した領域の座標値を検出して出力する。タッチスクリーン３６０が作動する方法は、スクリーンの表面に加えられる圧力に反応する感圧式、喪失された電荷を感知して接触がある部分を把握する静電式、赤外線が遮断されることを感知して接触の位置を把握する赤外線式等が用いられるが、タッチスクリーン３６０のタッチを感知する方法であればどのような方法でも構わない。
【００４０】
本発明の実施形態によると、タッチスクリーン３６０の表示部３６０ａは、携帯端末機の機能を実行するためのユーザインターフェースであって、ツールバーメニューモード又は一般メニューモードを表示することができる。
【００４１】
制御部３７０は、携帯端末機の全体的な動作を制御する。本発明の実施形態によると、制御部３７０は、ブルートゥース部３２０を駆動し、携帯端末機と前記携帯端末機の隣接した領域に位置する装置とがブルートゥース接続される一連のステップを制御することができる。また、制御部３７０は、センサー部３４０(詳細には、地磁気センサー部)から感
知されて出力される携帯端末機の回転状態が伝達され、携帯端末機の回転状態を認知し、タッチスクリーン３６０に表示されるツールバーに含まれたアイコンの回転状態を変更することができる。
【００４２】
本発明の一実施形態によると、制御部３７０は、ツールバー管理部３７０ａ及びツールバー駆動部３７０ｂを含むことができる。
【００４３】
ツールバー管理部３７０ａは、本発明の実施形態に係るツールバー１２０に特定の機能を登録するためにツールバー登録メニューに進入する場合、ツールバー１２０に登録可能な機能リストを検索してタッチスクリーン３６０上にディスプレーする。そして、ツールバー管理部３７０ａは、ユーザが選択した機能に該当するアイコン１１０と前記アイコンが活性化させる機能とをマッチした設定情報ファイルを生成する。前記設定情報ファイルの構成は、以下の表１に表される。
【００４４】
【表１】
0005611313.tif 000002
【００４５】
アイコン１１０は、機能をユーザが直観的に認知できるように、前記機能の代表性を有する絵、記号、又は文字等で表示することができる。例えば、カメラ撮影に関するアイコンはカメラ形状のイメージにすることができる。
【００４６】
ツールバー駆動部３７０ｂは、ツールバーメニューモード進入時、ツールバーに登録された機能を検索し、これに対応するアイコンをツールバーに含ませてタッチスクリーン３６０に表示するように制御する。また、ツールバー駆動部３７０ｂは、設定情報ファイル(表１を参考)をツールバー管理部３７０ａから受信して格納する。そして、制御部３７０
が、ツールバー１２０に含まれた特定のアイコン１１０が第１領域１３０に位置したことを感知すると、ツールバー駆動部３７０ｂは、設定情報ファイルを確認し、第１領域１３０に位置した特定のアイコン１１０に対応する機能を実行するように制御する。
【００４７】
図４は、本発明の実施形態に係る携帯端末機の制御部３７０に含まれたツールバー駆動部３７０ｂの詳細構造を表した構造図である。ツールバー駆動部３７０ｂは、ツールバー情報設定部４１０、ツールバー表示部４２０、機能実行部４３０を含むことができる。
【００４８】
ツールバー情報設定部４１０は、ツールバーに登録されたメニューに対応するアイコン１１０と、前記アイコンが第１画面１３０に位置される場合に実行される機能と、をマッチさせた設定情報ファイルを受信して格納する。ツールバー表示部４２０は、ツールバーメニューモード進入時、ツールバーに登録された機能を検索し、これに対応するアイコンをツールバーに含ませて表示するように制御する。機能実行部４３０は、ツールバー１２０に含まれた特定のアイコン１１０が第１領域１３０に位置すると、第１領域１３０に位置した特定のアイコン１１０に対応する設定情報ファイルを、ツールバー情報設定部４１０から参考にして当該機能を実行するように制御する。
【００４９】
図５は、本発明の実施形態に係るツールバー１２０にユーザの設定によって特定の機能を登録するための登録画面を示している。
【００５０】
ツールバー登録メニューに進入すると、ツールバー管理部３７０ａは、前記ツールバー（ｔｏｏｌ-ｂａｒ）に登録可能な機能リストを検索し、チェックボックス５１０と共にタッチスクリーン３６０に表示する。すると、ユーザは、図５に示すように、チェックボックス５１０にチェック表示をすることによって、ツールバー（ｔｏｏｌ-ｂａｒ）に登録される機能を追加又は削除することができる。
【００５１】
以下、図６乃至図１０では、本発明の実施形態に係るツールバーメニューモードの特徴に係る第１実施形態について説明する。
【００５２】
第１実施形態
図６ａ及び図６ｂは、ツールバーメニューモードにおいて、表示子６１０，６２０を用いてツールバー１２０を表示又は除去する実施形態を示している。
【００５３】
より詳細には、図６ａは、ツールバーメニューモードに初めて進入した場合の例を示しており、図６ｂは、図６ａの状態で表示子６１０をタッチし、ツールバー１２０がタッチスクリーン３６０に表示された場合の例を示している。
【００５４】
図６ａに示すように、ツールバーメニューモードに初めて進入する際、制御部３７０は、ツールバー１２０をタッチスクリーン３６０にすぐに表示せず、その代わりに表示子６１０を表示するように制御することができる。表示子６１０は、方向性を有する記号で表示することができ、本発明の実施形態では正三角形で例示されている。この場合、表示子６１０が指示する方向（図６ａでは右側）は、表示子６１０がタッチされるとツールバー１２０が出現する方向であることを特徴とする。従って、図６ａの場合、制御部３７０が表示子６１０のタッチを感知すると、図６ｂに示すように、ツールバー１２０が、表示子６１０が指示する方向（右側）に出現して表示されるように制御することができる。
【００５５】
また、図６ｂに示すように、ツールバー１２０がタッチスクリーン３６０に表示された場合には、制御部３７０は、表示子６２０をツールバー１２０が表示される前に指示していた方向と反対方向（１８０度回転）に切り換えられて表示されるように制御することができる。この場合、制御部３７０が表示子６２０のタッチを感知すると、図６ａに示すように、ツールバー１２０は、表示子６２０が指示する方向（左側）に移動しタッチスクリーン３６０上から除去されるように制御することができる。
【００５６】
図６ｃ及び図６ｄは、本発明の実施形態に係る携帯端末機が回転する場合、これに連動し、タッチスクリーンに表示されるツールバー又はツールバーに含まれたアイコンが同時に回転して表示される実施形態を示している。
【００５７】
携帯端末機が横方向に回転する場合、センサー部３４０がこれを感知して出力すると、制御部３７０がこれを受信して携帯端末機の回転状態を感知する。すると、制御部３７０は、タッチスクリーン上のツールバー又はツールバーに含まれたアイコンを回転させて表示するように制御することができる。
【００５８】
本発明の一実施形態に係る図６ｃでは、携帯端末機が縦方向から横方向に回転する場合、ツールバー、サブメニュー等の位置は固定され、単にツールバーに含まれているアイコンが携帯端末機が回転した方向と反対方向に回転して表示される実施形態を示している。例えば、制御部３７０が、前記携帯端末機の位置状態を時計回りに９０度回転したと感知すると、制御部３７０は、前記ツールバーに含まれたアイコンを反時計回りに９０度回転して表示されるように制御する。同じ例として、制御部３７０が、前記携帯端末機の位置状態を縦方向から反時計回りに９０度回転したと感知すると、制御部３７０は、前記ツールバーに含まれたアイコンを時計回りに９０度回転して表示されるように制御する。この場合、制御部３７０は、タッチスクリーンに表示されるサブメニュー１６０ａ乃至１６０ｄ及び情報表示メニュー（バッテリー残量、通信状態、現在時刻等)も、上記のように携帯端末機の回転方向と反対方向に回転して表示されるように制御することができる。
【００５９】
本発明の他の実施形態に係る図６ｄでは、携帯端末機が縦方向から横方向に回転する場合、ツールバー、サブメニュー等も移動して表示される実施形態を示している。
【００６０】
例えば、制御部３７０が、携帯端末機の位置状態を縦方向から時計回りに９０度回転したと感知すると、制御部３７０は、ツールバー及びタッチスクリーンの下段に位置したサブメニューが、図面に示すように反時計回りに９０度回転して表示されるように制御することができる。これは、前記携帯端末機が反時計回りに回転した場合にも同様である。
【００６１】
図６ｅ及び図６ｆは、本発明の実施形態に係るツールバー１２０に含まれた特定のアイコンがドラッグされてツールバー１２０から離脱した場合、ツールバー１２０に表示されるアイコンが再配列されて表示される実施形態を示している。
【００６２】
まず、図６ｅに示すように、ユーザが、ツールバー１２０に含まれた特定のアイコン６３０ａをドラッグして第１領域に位置させると、ツールバー駆動部３７０ｂは、設定の情報ファイルを確認してアイコン６３０ａに対応する機能を検索し、前記第１領域に活性化アイコン６３０ｂを表示するように制御する。この場合、ツールバー１２０に含まれた複数のアイコン中の特定のアイコン６３０ａがツールバー１２０から離脱したため、既存のツールバー１２０領域には空白ができるようになる。従って、ツールバー駆動部３７０ｂは、図６ｆに示すように、前記離脱したアイコン６３０ａの下段に位置していたアイコン６４０を、前記離脱したアイコン６３０ａが位置していた領域に表示するように制御することができる。
【００６３】
図６ｇ及び図６ｈは、本発明の実施形態に係るツールバーメニューモードにおいて、第１領域から活性化アイコンがドラッグされてツールバー１２０に挿入される場合、ツールバー１２０に表示されたアイコンが再配列されて表示される実施形態を示している。
【００６４】
図６ｇに示すように、ユーザは、ツールバーメニューモードにおいて、活性化アイコン６３０ｂをドラッグしてツールバー１２０に挿入することができる。この場合、ツールバー駆動部３７０ｂは、活性化アイコンに対応するアイコンを設定情報ファイルから検索し、前記検索されたアイコンをツールバー１２０内のドラッグされた位置に表示するように制御する。
【００６５】
すなわち、図６ｇに示すように、活性化アイコン６３０ｂがドラッグされてツールバー１２０に含まれた第１アイコン６５０及び第２アイコン６６０の間に位置すると、図６ｈに示すように、活性化アイコン６３０ｂの機能に対応するアイコン６３０ａは、第１アイコン６５０及び第２アイコン６６０の間に位置して表示される。
【００６６】
図７は、本発明の実施形態に係るツールバーメニューモードにおいて、ツールバー１２０がタッチスクリーン３６０に表示された場合、ツールバー１２０に含まれた特定のアイコン１１０にタッチが感知された場合、当該アイコンの機能を説明する実施形態を示している。
【００６７】
アイコン１１０だけで当該メニューの機能を把握することが難しいこともあり、視力が良くない場合や、不良である場合、小さいアイコンだけで該当する機能を認識することが難しい場合もある。
【００６８】
そのため、本発明の一実施形態では、図７に示すように、制御部３７０がツールバー１２０に含まれた特定のアイコン１１０のタッチを感知すると、制御部３７０は、当該アイコン１１０に対応する機能をユーザが容易に認知できるように、第３領域（７１０）に表示するように制御することができる。図７に示す実施形態では、ツールバー１２０に含まれた複数のアイコン１１０中の「ＡＢＣ」というアイコンにタッチが感知された場合、前記アイコンに対応する機能は「辞書」であることが第３領域７１０に表示されている。
【００６９】
上記のように、ユーザが容易に認知できる他の方法としては、アイコンを拡大して表示したり、前記アイコンに該当する機能を音声案内する方法等がある。
【００７０】
従って、ユーザは、視力が良くなかったり又はツールバー１２０に表示されたアイコン１１０だけでは当該サービスが把握できない場合にも、上記のように、関連情報を簡単に得ることができ、ユーザのメニュー使用上における便利性が向上される。
【００７１】
図８ａ及び図８ｂは、本発明の実施形態に係るツールバーメニューモードにおいて、ツールバー１２０に含まれた複数のアイコン１１０が重なって第１領域１３０に位置し、複数の機能が活性化される場合、活性化アイコンが重なって表示される実施形態を示している。
【００７２】
携帯端末機のタッチスクリーン３６０の第１領域１３０は制限されており、前記制限された領域内で複数の機能が実行される場合があるため、実行される複数の活性化アイコン８１０、８２０が相互重なるのは必然的である。
【００７３】
図８ａでは、第１活性化アイコン８１０と第２活性化アイコン８２０とが第１領域１３０に重なって実行される場合の一実施形態を示している。この場合、制御部３７０は、第１活性化アイコン８１０と第２活性化アイコン８２０とが重なる領域８３０が隠されることなく重なって見えるように、半透明処理してタッチスクリーン３６０に表示されるように制御することができる。
【００７４】
図８ｂは、第１活性化アイコン８１０と第２活性化アイコン８２０とが第１領域１３０に重なって実行される場合の他の実施形態を示している。この場合、制御部３７０は、第１活性化アイコン８１０と第２活性化アイコン８２０とが重なる領域８３０を、図８ａのように、半透明処理せずに最上位にあるメニューのみを表示するように制御することができる。
【００７５】
図９は、本発明の実施形態に係るツールバーメニューモードにおいて、第１領域１３０に複数の活性化アイコンが重なった場合、前記重なった活性化アイコン中の特定の活性化アイコンをタッチすると、前記タッチされた活性化アイコンが最上段に表示される実施形態を示している。
【００７６】
まず、図８ａでは、第１活性化アイコン８１０と第２活性化アイコン８２０とが重なって、第１活性化アイコン８１０が上段に位置し、第２活性化アイコン８２０が下段に位置する実施形態を示している。この場合、制御部３７０が第２活性化アイコン８２０領域にタッチが発生したことを感知すると、図９に示すように、タッチが感知された第２活性化アイコン８２０は最上段に位置させ、タッチが感知されなかった第１活性化アイコン８１０は下段に位置させて表示するように制御することができる。
【００７７】
この場合、本発明の好ましい実施形態によると、制御部３７０は、図９に示す第１活性化アイコン８１０に含まれた時計の時針及び分針が常に現在時刻を表示するために、第１活性化アイコン８１０が第２活性化アイコン８２０より下段に位置するにもかかわらず、前記時針及び分針は常に最上段に位置させて表示するように制御することができる。
【００７８】
図１０ａ乃至図１０ｃは、本発明の実施形態に係るツールバーメニューモードにおいて、第１領域１３０に特定の機能が活性化された場合、第１領域１３０をズーム（ｚｏｏｍ）機能を用いて部分的に拡大する実施形態を示している。
【００７９】
まず、図１０ａは、第１領域１３０に時計活性化アイコン１０２０と地下鉄路線案内活性化アイコン１０３０とが、同時に実行されている例を示している。時計活性化アイコン１０２０の場合、ユーザが得ようとする情報（現在時刻）は、単純でイメージも複雑でないため別途の努力がなくても求める情報を容易に得ることができる。しかし、図１０ａに示された地下鉄路線案内活性化アイコン１０３０の場合、ユーザが得ようとする情報（地下鉄停車駅、乗換駅、路線の種類、経由地点等）は、制限された領域内に全部含まれているため確認しにくい場合もある。
【００８０】
図１０ｂは、ユーザが、タッチスクリーンに表示された拡大アイコン１０１２をタッチした場合、第１領域１３０が部分的に拡大される実施形態を示している。
【００８１】
制御部３７０は、第１領域１３０を拡大するアイコン１０１２のタッチを感知した場合、第１領域１３０の特定の部分を設定された割合で拡大して表示するように制御することができる。図１０ｂでは、ユーザが、拡大アイコン１０１２をタッチして地下鉄路線案内活性化アイコン１０３０が部分的に拡大された状態を確認することができる。従って、ユーザは、拡大前の画面では確認することができなかった地下鉄路線案内に関する情報を、拡大アイコン１０１２をタッチして地下鉄路線案内活性化アイコン１０３０を拡大することによって、地下鉄停車駅、乗換駅、路線の種類、経由地点等の情報を簡単に検索することができる。この場合、ユーザは、第１領域１３０が拡大された状態でタッチスクリーン３６０で上下左右に移動できるのは当然である。
【００８２】
また、制御部３７０は、拡大アイコン１０１２のタッチを感知する度に、第１領域１３０を設定された割合で連続して拡大し表示することができる。本発明の他の実施形態によると、制御部３７０が第１領域１３０を縮小するアイコン１０１４のタッチを感知すると、第１領域１３０を設定された割合で縮小して表示することができる。
【００８３】
図１０ｃは、ユーザがタッチスクリーンに表示された拡大アイコン１０１２をタッチした場合、第１領域１３０が実際にタッチスクリーンに拡大されて表示される実施形態を示している。
【００８４】
ユーザは、前記タッチスクリーンに表示されたズームアイコンをタッチし、第１領域を設定された割合で連続して拡大又は縮小することができる。
【００８５】
図１１は、ツールバーメニューモードにおいて、表示されるツールバー１２０にユーザの設定によって新規機能を登録するステップを示すフローチャートである。
【００８６】
まず、制御部３７０は、Ｓ１１１０ステップで携帯端末機がツールバー機能登録モードであるか否かを判断する。
【００８７】
制御部３７０が、Ｓ１１１０ステップで携帯端末機がツールバー機能登録モードに進入したことを感知すると、制御部３７０は、Ｓ１１３０ステップでツールバー１２０に登録可能な機能のリストを検索する。そして、制御部３７０は、Ｓ１１４０ステップで前記検索されたリストをチェックボックスと共にタッチスクリーン３６０に表示する。これに関する詳細な実施形態は、前記図５で説明している。そして、ユーザがツールバー１２０に新規登録しようとする機能を選択すると、制御部３７０はＳ１１５０ステップでこれを感知し、Ｓ１１６０ステップで前記新規登録された機能と前記機能に該当するアイコンとをマッチさせた設定情報ファイルを生成する(表１を参考)。制御部３７０は、Ｓ１１７０ス
テップで前記生成された設定情報ファイルを格納する。
【００８８】
図１２は、ツールバーメニューモードに進入し、ツールバー１２０がタッチスクリーンに表示され、ツールバーに含まれた特定のアイコンが第１領域に位置した場合、当該機能が実行されるステップを示すフローチャートである。
【００８９】
まず、制御部３７０は、Ｓ１２１０ステップで携帯端末機がツールバーメニューモードに設定されているか否かを判断する。もし、前記携帯端末機がツールバーメニューモードに設定されていなければ、制御部３７０は、Ｓ１２２０ステップで前記携帯端末機が一般メニューモードを提供できるように制御する。
【００９０】
しかし、Ｓ１２１０ステップで、制御部３７０が、携帯端末機がツールバーメニューモードに設定されたことを感知すると、Ｓ１２３０ステップでタッチスクリーン３６０上の表示子６１０がタッチされたのか否かを判断する。制御部３７０が、Ｓ１２３０ステップで表示子６１０がタッチされたことを感知すると、Ｓ１２４０ステップで制御部３７０は、ツールバー１２０に含まれるように設定された機能を確認し、前記確認された機能に対応するアイコンをツールバー１２０に含ませてタッチスクリーンに表示する。ツールバー１２０を表示する他の実施形態として、表示子がない場合、タッチスクリーン３６０の一部分をタッチすると、制御部３７０は、ツールバー１２０に含まれるように設定された機能を確認し、前記確認された機能に対応するアイコンを前記ツールバー１２０に含ませてタッチスクリーン３６０に表示する。タッチスクリーン３６０の一部分は、ツールバーを表示するために割り当てられたタッチスクリーン３６０の特定部分、又は、アイコンの存在しない領域である。
【００９１】
そして、制御部３７０が、Ｓ１２５０ステップでツールバー１２０に含まれた特定のアイコンがドラッグされて第１画面１３０に位置されたことを感知すると、制御部３７０は、Ｓ１２６０ステップで予め格納されていた設定情報ファイルを参考にし、前記アイコンに対応する機能に関する情報を確認する。制御部３７０は、Ｓ１２７０ステップで前記確認された機能を活性化するように制御する。
【００９２】
図１３乃至図２０では、本発明の実施形態に係るツールバーメニューモードを用いて実行できる詳細な機能に関する第２実施形態乃至第５実施形態に関する図を示している。
【００９３】
第２実施形態
図１３ａ及び図１３ｂは、ツールバーメニューモードにおいて、ツールバー１２０に含まれた時計アイコンを第１領域に位置させた場合、前記時計アイコンに対応する機能が活性化される実施形態を示している。
【００９４】
まず、図１３ａのツールバー１２０に位置した時計アイコン１３１０ａは、現在時刻機能に関する代表性を有するアイコンであって、ツールバー１２０内に位置した場合には、現在時刻が反映されていないイメージに過ぎないものである。この場合、制御部３７０が、図１３ａのツールバー１２０に位置した時計アイコン１３１０ａがドラッグされ、図１３ｂの第１領域１３０に位置したことを感知すると、制御部３７０は、予め格納されていた設定情報ファイルによって時計アイコン１３１０ａに対応する機能を検索する。制御部３７０は、時計アイコン１３１０ａに対応する機能が現在時刻表示機能であることを確認した後、現在時刻を確認して第１領域に１３０に位置した時計アイコン１３１０ｂにこれを反映して表示するように制御することができる。この場合、表示される時刻は、アナログ時計又はデジタル時計として表示される。
【００９５】
図１４は、前記図１３ａ及び図１３ｂのツールバーメニューモードにおいて、ツールバー１２０に含まれた時計アイコンを第１領域に位置させた場合、前記時計アイコンに対応する機能が実行されるステップを示すフローチャートである。
【００９６】
まず、制御部３７０が、Ｓ１４１０ステップでツールバー１２０に位置した時計アイコン１３１０ａが第１領域１３０に位置したことを感知すると、制御部３７０は、Ｓ１４２０ステップで現在の時刻を確認する。そして、制御部３７０は、Ｓ１４３０ステップで第１領域１３０に位置した時計アイコン１３１０ｂに現在の時刻を反映して表示する。
【００９７】
第３実施形態
図１５ａ乃至図１５ｃは、ツールバーメニューモードにおいて、ツールバー１２０に含まれた写真アルバムアイコンを第１領域に位置させた場合、前記写真アルバムアイコンに対応する機能が活性化される実施形態を示している。
【００９８】
まず、図１５ａのツールバー１２０に位置した写真アルバムアイコン１５１０は、写真アルバム機能に関する代表性を有するアイコンであって、ツールバー１２０内に位置した場合には、実際格納されているイメージファイルを表示しない。この場合、制御部３７０が、図１５ａのツールバー１２０に位置した写真アルバムアイコン１５１０がドラッグされ、図１５ｂの第１領域１３０に位置したことを感知すると、予め設定されていた設定情報ファイルによって写真アルバムアイコン１５１０に対応する機能を検索する。制御部３７０は、図１５ｂに示すように、写真アルバム機能が活性化された画面１５２０を表示するように制御することができる。本発明の一実施形態によると、画面１５２０は、格納されたイメージを表示する第１画面１５２０ａ、第１画面１５２０ａに表示されたイメージに係る機能を実行させることができる第２画面１５２０ｂ及び第３画面１５２０ｃを含む。第２画面１５２０ｂは、イメージファイルが格納されているフォルダを表示する機能である「アルバム」で表示することができ、第３画面１５２０ｃは、現在表示されている第１画面１５２０ａに表示されたイメージを携帯端末機の待ち受け画面に設定する機能である「設定」で表示することができる。
【００９９】
制御部３７０が、図１５ｂに示された方向子１５３０がタッチされたことを感知すると、制御部３７０は、タッチされた方向子の方向によって現在表示されているイメージの以前のイメージ又は次のイメージを順次に表示する。また、制御部３７０は、図１５ｂに示す第２画面１５２０ｂに表示された「アルバム」がタッチされたことを感知すると、イメージファイル又はそれに係るフォルダが表示されるように制御することができる。
【０１００】
また、本発明の好ましい実施形態として、制御部３７０が、図１５ｂに示す第３画面１５２０ｃに表示された「設定」がタッチされたことを感知すると、現在表示されているイメージを携帯端末機の待ち受け画面に設定するように制御するが、これは図１５ｃに示されている。
【０１０１】
図１６は、図１５ａ乃至図１５ｃのツールバーメニューモードにおいて、ツールバー１２０に含まれた写真アルバムアイコンを第１領域に位置させた場合、前記写真アルバムアイコンに対応する機能が活性化されるステップを示すフローチャートである。
【０１０２】
まず、制御部３７０が、Ｓ１６１０ステップでツールバー１２０に位置した写真アルバムアイコン１５１０がドラッグされて第１領域１３０に位置したことを感知すると、制御部３７０は、Ｓ１６２０ステップで格納されたイメージを表示する第１画面１５２０ａ、第１画面１５２０ａに表示されたイメージに関するサービスを実行させることができる第２画面１５２０ｂ及び第３画面１５２０ｃを含む写真アルバムサービス画面１６２０を第１領域１３０に表示するように制御する。そして、制御部３７０が、Ｓ１６３０ステップで方向子１５３０がタッチされたことを感知すると、Ｓ１６４０ステップでタッチされた方向子の方向に応じて以前のイメージ又は次のイメージを第１画面１５２０ａに表示するように制御することができる。
【０１０３】
しかし、Ｓ１６３０ステップで方向子１５３０がタッチされなかったら、制御部３７０は、Ｓ１６５０ステップで「アルバム」サービスを実行させることができる第２画面１５２０ｂのタッチが感知されたのか否かを判断する。そして、制御部３７０が、第２画面１５２０ｂがタッチされたことを感知すると、Ｓ１６６０ステップでイメージが格納されたフォルダを変換するように制御することができる。
【０１０４】
また、Ｓ１６５０ステップで第２画面１５２０ｂのタッチが感知されなかったら、制御部３７０は、Ｓ１６７０ステップで「設定」サービスを実行することができる第３画面１５２０ｃのタッチが感知されたのか否かを判断する。そして、制御部３７０が、第３画面１５２０ｃがタッチされたことを感知すると、制御部３７０は、Ｓ１６８０ステップで現在表示されたイメージを待機画面に設定するように制御することができる。
【０１０５】
第４実施形態
図１７ａ乃至図１７ｃは、ツールバーメニューモードにおいて、ツールバー１２０に含まれたＴｏｐ−３アイコン１７１０を第１領域に位置させた場合、前記Ｔｏｐ−３アイコンに対応する機能が実行される実施形態を示している。
【０１０６】
前記Ｔｏｐ−３機能は、フォンブックに格納された相手中、ユーザが設定した複数の相手に関する情報をタッチスクリーンに同時に表示し、そのうち、ユーザによって選択された相手に直接発信、メール送信、又は画像通話を可能にする機能と定義することができる。前記Ｔｏｐ−３機能を実行するためには、ユーザは予めフォンブックから前記Ｔｏｐ−３モードで表示する相手を設定しなければならない。
【０１０７】
図１７ａのツールバー１２０に位置したＴｏｐ−３アイコン１７１０は、Ｔｏｐ−３機能に関する代表性を有するアイコンであって、ツールバー１２０内に位置した場合には、実際設定された相手に関する情報を表示しない。この場合、制御部３７０が図１７ａのツールバー１２０に位置したＴｏｐ−３アイコン１７１０がドラッグされ、図１７ｂの第１領域１３０に位置したことを感知すると、制御部３７０は、予め設定されていた設定情報ファイルによって前記Ｔｏｐ−３アイコンに対応する機能を検索する。制御部３７０は、図１７ｂに示すように、Ｔｏｐ−３機能の画面１７２０を複数のイメージ領域１７２０ａ乃至１７２０ｃで表示するように制御することができる。前記複数の画面の分割方向は、垂直方向又は水平方向である。本発明の実施形態では、前記複数の画面は、垂直方向に３個の領域で分割されたと仮定する。この場合、制御部３７０は、分割された３個の第１イメージ領域１７２０ａ、第２イメージ領域１７２０ｂ、及び第３イメージ領域１７３０ｃに、ユーザがフォンブックから個人別に設定したイメージが表示されるように制御することができる。制御部３７０が、第１イメージ領域１７２０ａ乃至第３イメージ領域１７３０ｃ中のいずれかの領域にタッチが発生したことを感知すると、前記タッチが発生した領域に格納されたイメージを設定された割合で拡大して表示するように制御する。これと同時に、制御部３７０は、前記拡大されたイメージ領域の一側面に、特定の機能を実行するためのサブメニュー１７３０ａ乃至１７３０ｃを生成して表示し、これと同時に、タッチされなかったイメージ領域は、前記拡大されたイメージ領域の一側面に位置するように制御することができる。これに関する実施形態は図１７ｃに示されている。
【０１０８】
仮に、制御部３７０が、図１７ｂの第１イメージ領域１７２０ａがタッチされたことを感知すると、図１７ｃに示すように、タッチされた第１イメージ領域１７２０ａは設定された割合で拡大して表示し、これと同時に、下段部に機能実行のためのサブメニューを生成して表示するように制御することができる。本発明の実施形態では、前記サブメニューは、発信１７３０ａ、メール送信１７３０ｂ、画像通話１７３０ｃであると仮定する。仮に、制御部３７０が、前記サブメニュー中の発信領域１７３０ａがタッチされたことを感知すると、第１イメージ領域１７２０ａに係る電話番号に自動的に発信するように制御する。
【０１０９】
また、制御部３７０は、第１イメージ領域１７２０ａを拡大して表示すると同時に、タッチされなかった第２イメージ領域１７２０ｂ及び第３イメージ領域１７２０ｃは、拡大された第１イメージ領域１７２０ａの一側面に位置するように制御することができる。
【０１１０】
図１８は、前記図１７ａ乃至図１７ｃのツールバーメニューモードにおいて、ツールバー１２０に含まれたＴｏｐ−３アイコンを第１領域に位置させた場合、前記Ｔｏｐ−３アイコンに対応する機能が活性化されるステップを示すフローチャートである。
【０１１１】
まず、制御部３７０が、Ｓ１８１０ステップでツールバー１２０に位置したＴｏｐ−３アイコン１５１０がドラッグされて第１領域１３０に位置したことを感知すると、Ｓ１８２０ステップでＴｏｐ−３サービス画面１７２０を複数のイメージ領域１７２０ａ乃至１７２０ｃに分割して表示するように制御する。この場合、制御部３７０は、ユーザがフォンブックからＴｏｐ−３サービス画面１７２０に表示されるように予め設定した相手を検索し、分割されたイメージ領域に予め設定された相手のイメージを表示するように制御することができる。そして、制御部３７０は、Ｓ１８３０ステップで分割されたイメージ領域中の特定のイメージ領域にタッチが発生したことを感知すると、Ｓ１８４０ステップでタッチされたイメージ領域に設定された相手の情報、例えば、写真を拡大して表示するように制御することができる。これと同時に制御部３７０は、前記拡大されたイメージ領域の下段部に特定のサービス接続のためのサブメニューを生成して表示するように制御することができる。そして、制御部３７０は、Ｓ１８５０ステップでタッチされていないイメージ領域は、拡大されたイメージ領域の一側面に位置するように制御することができる。そして、制御部３７０は、Ｓ１８６０ステップで特定のサブメニューがタッチされたことを感知すると、Ｓ１８７０ステップで該当するサービスが実行されるように制御することができる。
【０１１２】
第５実施形態
図１９ａ乃至図１９ｃは、ツールバーメニューモードにおいて、ツールバー１２０に含まれたブルートゥースアイコンを第１領域に位置させた場合、前記ブルートゥースアイコンに対応する機能が活性化される実施形態を示す図である。携帯端末機と周辺装置とのブルートゥース接続に関する技術は、当業者にとっては自明な事項であるためブルートゥース接続に関する詳細な説明は、以下省略することにする。
【０１１３】
まず、携帯端末機がブルートゥース通信モードに進入した場合、制御部３７０は、携帯端末機のブルートゥース部３２０を駆動し、周辺に位置しているブルートゥース接続が可能な装置を検索する。そして、制御部３７０は、図１９ａに示すように、検索されたブルートゥース接続可能な装置Ａ（１９２０）、Ｂ（１９３０）、Ｃ（１９４０）、Ｄ（１９５０）をイメージ化してアイコンを生成した後、ユーザ携帯端末機アイコン１９１０を中心に円形に配置して表示するように制御する。
【０１１４】
そして、制御部３７０が、図１９ｂに示すように、前記検索された装置Ａ乃至Ｄに関するアイコンＡ乃至Ｄ中、特定のアイコン（本発明の実施形態ではＣ）がドラッグされてユーザ携帯端末機アイコン１９１０と重なることを感知すると、制御部３７０は、ブルートゥース部３２０を駆動させて重なったアイコンＣに対応する機器と接続するように制御する。
【０１１５】
ユーザ携帯端末機がブルートゥース接続可能な装置を検索し、検索された装置をイメージ化してアイコンを生成した後、ユーザ携帯端末機アイコンを中心に円形に配置し、タッチスクリーンに実際に表示する実施形態は図１９ｃに示した。
【０１１６】
図２０は、ブルートゥースモードに進入した後、本発明の実施形態によって、ユーザ携帯端末機と選択された周辺装置とのブルートゥース通信が接続されるステップを示すフローチャートである。
【０１１７】
まず、制御部３７０が、Ｓ２０１０ステップで携帯端末機がブルートゥース通信モードに進入したことを感知すると、Ｓ２０２０ステップでブルートゥース部３２０を駆動させてユーザの携帯端末機の周辺でブルートゥース通信が可能な装置を検索（ｉｎｑｕｉｒｙ）する。そして、制御部３７０は、Ｓ２０３０ステップで検索された周辺装置をアイコンとしてイメージ化し、タッチスクリーン上にユーザ携帯端末機アイコン１９１０を中心として円形に配置して表示するように制御する。そして、制御部３７０は、Ｓ２０４０ステップで前記検索された周辺装置中のいずれかのアイコンとユーザ携帯端末機アイコンとが重なるか否かを判断し、重なる場合、Ｓ２０５０ステップで前記重なったアイコンに対応する実際の周辺装置を呼び出して(ｐａｇｉｎｇ)ブルートゥース接続するように制御する
。
【産業上の利用可能性】
【０１１８】
以上のように、本明細書と図面には、本発明の好ましい実施形態に関して開示しており、特定の用語を使用しているが、これは単に本発明の技術内容をより簡単に説明し、発明の理解を助けるために一般的な意味で使われているのであって、本発明の範囲を限定するものではない。ここに、開示されている実施形態以外にも、本発明の技術的思想に基づく他の変形例も実施可能であることは、本発明が属する技術分野における通常の知識を有する者にとって自明なことである。
【図１ａ】
0005611313.tif 000003
【図２ａ】
0005611313.tif 000004
【図３】
0005611313.tif 000005
【図４】
0005611313.tif 000006
【図５】
0005611313.tif 000007
【図６ａ】
0005611313.tif 000008
【図６ｂ】
0005611313.tif 000009
【図６ｃ】
0005611313.tif 000010
【図６ｄ】
0005611313.tif 000011
【図６ｅ】
0005611313.tif 000012
【図６ｆ】
0005611313.tif 000013
【図６ｇ】
0005611313.tif 000014
【図６ｈ】
0005611313.tif 000015
【図７】
0005611313.tif 000016
【図８ａ】
0005611313.tif 000017
【図８ｂ】
0005611313.tif 000018
【図９】
0005611313.tif 000019
【図１０ａ】
0005611313.tif 000020
【図１０ｂ】
0005611313.tif 000021
【図１１】
0005611313.tif 000022
【図１２】
0005611313.tif 000023
【図１３ａ】
0005611313.tif 000024
【図１３ｂ】
0005611313.tif 000025
【図１４】
0005611313.tif 000026
【図１５ａ】
0005611313.tif 000027
【図１５ｂ】
0005611313.tif 000028
【図１５ｃ】
0005611313.tif 000029
【図１６】
0005611313.tif 000030
【図１７ａ】
0005611313.tif 000031
【図１７ｂ】
0005611313.tif 000032
【図１７ｃ】
0005611313.tif 000033
【図１８】
0005611313.tif 000034
【図１９ａ】
0005611313.tif 000035
【図１９ｂ】
0005611313.tif 000036
【図２０】
0005611313.tif 000037
【図１ｂ】
0005611313.tif 000038
【図２ｂ】
0005611313.tif 000039
【図１０ｃ】
0005611313.tif 000040
【図１９ｃ】
0005611313.tif 000041